Podtech/llm-jp-corpus-v4-ja_patent huggingface dataset:
(57)【要約】      （修正有）【課題】苗つくりの準備等に手間や無駄をかけないで手軽に苗つくりができる有効な種子入り蓋付苗床ポットを提供する。【解決手段】ピートモスなどの天然素材で形成する苗床ポットの上底部が開口しており、下底部の側面に２箇所の通気孔を設けてある既存の角錐台形状箱本体を基部として、前記箱本体の上底部全辺にのり面０．５ｃｍを施し、ポットの中に土壌を詰め、目的品種の種子を挿入し、固着手段で固定して、ポット内の土壌や種子が移動などの際に開口部分からポット外に散乱しないように、発芽に影響を与えない薄水溶性紙等の素材で形成する正方形状板型の蓋部を設置して、基部箱本体の上底部の開口部分に蓋をするために蓋部の全辺に約０．５ｃｍののり面を施し、基部のり面と粘着材等で貼り合わせて密閉したものを一体に移動可能にして成る種子入れ蓋付苗床ポットである。【選択図】図１
0003117360.tif 000002
【実用新案登録請求の範囲】
【請求項１】
ピートモスなどの天然素材で形成する既存の角錐台形状箱本体は、上底部が開口し下底部の両側面に２箇所の通気孔を施してあるポットの前記箱本体を基部として、前記箱本体の最上底部全辺にのり面を施し、ポット内に土壌を詰め、目的品種の種子を入れ、固着手段で固定して、ポット内の土壌や種子が開口部分から散乱しないように、正方形状板型で発芽に影響のない薄水溶性紙等の素材で形成する蓋部を設置して、蓋部端の全辺にのり面を施し基部のり面と粘着材等で貼り合わせて上底部の開口部分を蓋で密閉したものを一体に移動可能にして成る種子入り蓋付苗床ポット。
【考案の詳細な説明】
【技術分野】
【０００１】
この考案は、苗床ポットに関するものである。
【背景技術】
【０００２】
従来は、家庭菜園や家庭園芸等の苗づくりはジフィーポットや合成樹脂性のポットを利用し、ポットに土壌を詰め、種子を播種して、保温容器等に入れて水をそそいで養生し、発芽したら幼苗をピンセットなどで抜き取って大きいポットに中間移植し、育苗期間を経て、合成樹脂製等のポットから幼苗を取り出し鉢や路地に定植しているが、苗つくりは小規模でも準備等から定植まで相当の手間がかかり、土壌や種子等は市販されている袋詰を利用していることから余剰などが生じて無駄になっているのが現状である。
このことから、苗作りの準備、播種、定植までに手間のかからない、無駄のない、必要な品種および必要量だけ手軽に作ることができる有効な苗床ポットが望まれている。
【考案の開示】
【考案が解決しようとする課題】
【０００３】
既存する苗床ポットには、土壌と種子が入って移動可能なものがないことから、家庭菜園など小規模の苗つくりでも準備等に相当の手間がかかり、土壌や種子は市販されている袋詰を利用していることから余剰などが発生し無駄になっている。
そこで、この考案は、既存の苗床ポット内に土壌と種子を入れ、薄水溶性紙等の蓋部を設置して、ポットの上底部の開口部分を密閉してポット一体が移動可能になるようにして、苗つくりの準備等に手間や無駄をかけないで手軽に苗つくりができる有効な種子入り蓋付苗床ポットを提供することを課題とする。
【課題を解決するための手段】
【０００４】
以上の課題を解決するために、この考案は、ピートモスなどの天然素材で形成する苗床ポットの上底部が開口し、下底部の側面に２箇所の通気孔を施してある既存の角錐台形状箱本体を基部として、前記箱本体の上底部全辺にのり面約０．５ｃｍを施し、ポット内に土壌を詰め、目的品種の種子を挿入し固着手段で固定して、ポット内の土壌や種子が移動などの際に開口部分からポット外に散乱しないように、正方形状板型で発芽に影響を与えない薄水溶性紙等の素材で形成する蓋部を設置して、基部箱本体の上底部の開口部分に蓋をするために蓋部の全辺に約０．５ｃｍののり面を施し、基部のり面と粘着材等で貼り合わせて密閉した一体化したポットを移動可能にしたものである。
【考案の効果】
【０００５】
本考案は、既存の苗床ポットに土壌と種子を入れ、発芽に影響を与えない正方形状板型の薄水溶性紙等の素材で蓋部を設置して、基部上底部の開口部分を密閉することによってポット一体が移動可能になり、必要な品種を必要量だけ選定ができ、これを保温容器等に入れ水を注ぐだけで発芽して育苗ができ、定植時には天然素材なのでポットのまま植付けができ根を傷めることなく活着率もよく、苗つくりの準備等に手間はかからず土壌や種子なども無駄にならない家庭菜園等の苗つくりには極めて有効である。
また、大きな場所を取らず、汚れなどもなく時期を問わず室内などでも手軽に苗つくりができる。
【考案を実施するための最良の形態】
【０００６】
考案の実施形態を図１で示す。
本考案による種子入り蓋付苗床ポットの基部箱本体１は、ピートモスなどの天然素材で造られている既存の角錐台形状の苗床ポットで、大きさは上底部３の一辺が約５ｃｍ、下底部８は一辺が約１．５５ｃｍの正方形状で、深さは約５ｃｍあり、下底部８には通気孔６が下底部８から上底部３に向け縦約１ｃｍ、横の幅約０．２mmの通気孔６が相対する側面５に二ヶ所施されている。
この基部箱本体１の上底部３の最上端に四辺にのり面４を約０．５ｃｍの幅で施し、下底部８の通気孔６から土壌１０が漏れないように土漏れ防止薄水溶性紙等９で覆い、ポットに土壌１０を詰め、目的種子７を発芽率など勘案して適量に挿入して、固着手段で固定して、移動などの際にポット内の土壌や種子が開口部分２からポット外に散乱しないように、正方形状板型で発芽に影響を与えない薄水溶性紙等の素材で、基部箱本体１の上底部３の開口部分２に蓋をするための蓋部１２を設置して、蓋部のり面１１約０．５ｃｍを施して基部のり面４と粘着材等で貼り合わせ密閉して一体化にしたポットを移動可能にするものである。
この本実施例は角錐台形状を例示しているが、多角錐台形状、円錐台形状等でも可能である。
また、苗床ポットの大きさは作物の品種等に応じてポットの大小を選択して使用可能である。
【産業上の利用可能性】
【０００７】
種子入れ蓋付苗床ポットは、山間部の裸地などに目的樹木等の種子を入れて、埋めておくだけで天然更新より発芽更新が確実になり緑化事業等にも有効である。
【図面の簡単な説明】
【０００８】
【図１】本考案に係る種子入れ蓋付苗床ポットの実施形態を示す斜視図である。
【符号の説明】
【０００９】
１  基部箱本体              
２  開口部分
３  上底部
４  基部のり面
５  側面
６  通気孔
７  種子
８  下底部
９  土漏れ防止薄水溶性紙
１０  土壌
１１  蓋部のり面
１２  蓋部
【図１】
0003117360.tif 000003
(57)【要約】      （修正有）【課題】風通しを良好にしながら且つ収納性にも対処したハンガーを提供する。【解決手段】単一の線材から成ると共にその一端に設けたフック部１と、このフック部を中央部にして折り返して左右対称にさせた肩部稜辺２並びに肩部稜辺の両下端の折返し曲げ部間を連ねる下辺部３は、肩部稜辺をフック部１と折返し曲げ部２２、２６近傍との間を後方に折り曲げ、且つ折返し曲部近傍を中心に下辺部を前方に折り曲げてくの字型に形成したハンガー。【選択図】図１
0003117346.tif 000002
【実用新案登録請求の範囲】
【請求項１】
単一の線材から成ると共に、その一端に設けたフック部と、このフック部を中央部となる様他端を折り返して左右対称に形成させた肩部稜辺と、肩部稜辺の両下端の折返し曲げ部間を連ねる下辺部とで成し、しかも肩部稜辺を、フック部と折返し曲げ部近傍との間を後方に折り曲げ、且つ折返し曲部近傍を中心に下辺部を前方に折り曲げてくの字型に形成した事を特徴としたハンガー。
【請求項２】
肩部稜辺をフック部と折返し曲げ部近傍との間を後方に凸アール状に曲げ、且つ折返し曲部近傍を中心に下辺部を前方に凸アール状に折り曲げて、くの字型に形成した事を特徴とした請求項１記載のハンガー。
【請求項３】
フック部、左右肩部、稜辺、折返し曲げ部、並びに下辺部を単一の線材にて一体に形成した事を特徴とした請求項１〜２記載のハンガー。
【請求項４】
頂上に位置するフック部を合成樹脂で成型したフック体にハンガー体の線材両端部を固定した請求項１〜３記載のハンガー。
【考案の詳細な説明】
【技術分野】
【０００１】
本考案は衣料用ハンガーに関し、さらに詳しくは通気効率を上げたハンガーに属する。
【背景技術】
【０００２】
ハンガーはプラスチック製か針金を曲げ加工した物が多く、平面的な製品が大多数を占めている。
【０００３】
平面的なハンガーは衣類の内壁に隙間が少なく、多少乾燥効率が悪くても晴天の屋外で干す場合は何ら問題は生じない。
【考案の開示】
【考案が解決しようとする課題】
【０００４】
だが梅雨時に屋内で乾燥させなければならない一般家庭では事態は一変する。狭いスペースに多くの洗濯物を詰めて干すため空気の流れが悪くなり何時までたっても乾きにくく、異臭の発生も起きている。
【０００５】
本考案は上記現状に対して風通しを良好にしながら且つ収納性にも対処したハンガーを提供することを目標にした。
【課題を解決するための手段】
【０００６】
本考案は上記目標を実現するものであり、単一の線材から成ると共にその一端に設けたフック部と、このフック部を中央部にして折り返して左右対称にさせた肩部稜辺並びに肩部稜辺の両下端の折返し曲げ部間を連ねる下辺部は、肩部稜辺をフック部と折返し曲げ部近傍との間を後方に折り曲げ、且つ折返し曲部近傍を中心に下辺部を前方に折り曲げてくの字型に形成したハンガー。
【０００７】
あるいは頂上に位置するフック部を合成樹脂で成型したフック体にハンガー体の線材両端部を固定した構成を持つ。
【考案の効果】
【０００８】
本ハンガーは肩部稜辺並びに肩部稜辺の両下端の折返し曲げ部間を連ねる下辺部は、肩部稜辺をフック部と折返し曲げ部近傍との間を後方に折り曲げ、且つ折返し曲部近傍を中心に下辺部を前方に折り曲げてくの字型に形成した結果、前後左右に開いた空間が創出されて通風路になり洗濯物の湿気が淀むことが無く、乾燥効率が大巾にアップする。
【考案を実施するための最良の形態】
【０００９】
図１は本考案について実施の形状を図示した正面図である。単一の線材から成ると共にその一端に設けたフック部１と、このフック部１を中央部として折り返した他端をフック部１にカシメ或は溶接して左右対称にさせた肩部稜辺２並びに肩部稜辺２の両下端の折返し曲げ部２ａ，２ｂ間を連ねる下辺部３としている。
【００１０】
図２は左側面図であり、垂直のフック部１から肩部稜辺２、下辺部３に至る曲げ形状を表し、肩部稜辺２をフック部１と折返し曲げ部２ａ，２ｂ近傍との間を後方に折り曲げ、且つ折返し曲部２ａ，２ｂ近傍を中心に下辺部３を前方に折り曲げてくの字型に形成したハンガー全体は本考案課題の上下の通風経路を生むべく形成されている。
【００１１】
図３は上面図であり、肩部稜辺２、折返し曲げ部２ａ，２ｂから下辺部３に至る形状を表し、通風開口部４が形成されている。
【００１２】
図４は他の実施例を示し。肩部稜辺２をフック部１と折返し曲げ部２ａ，２ｂ近傍との間を後方に凸アール状に曲げ、且つ折返し曲部２ａ，２ｂ近傍を中心に下辺部３を前方に凸アール状に折り曲げて、図２のくの字型を直線状直線状に形成しているものに対し、曲線状のくの字型に形成しており、洗濯物に角を与えないようにしている。
【００１３】
図５は請求項３を説明する側面図である。頂上に位置するフック部を合成樹脂で成型したフック体５にハンガー体６の両端部を固定した状態を表し、加工難度の高い単一の線材から成るフック部造作と、もう一方片の固定処理を無くして技術的制約を緩め、材料の選択巾拡大に対処し易いよう形成されている。
【００１４】
図７は具体的に洗濯物を吊るした図であり、内側の空気流を表している。
【図面の簡単な説明】
【００１５】
【図１】本考案ハンガーの全体を表す正面図である。
【図２】側面図である。
【図３】同上の平面図である。
【図４】他の実施例を示す側面図である。
【図５】異なる実施例を示す正面図である。
【図６】同上の側面図である。
【図７】使用状態を示す側面図である。
【符号の説明】
【００１６】
１  フック部
２  肩部稜辺  
２ａ  左折返し曲げ部  
２ｂ  右折返し曲げ部  
３  下辺部    
４  通風開口部
５  フック体
６  ハンガー体
【図１】
0003117346.tif 000003
【図２】
0003117346.tif 000004
【図３】
0003117346.tif 000005
【図４】
0003117346.tif 000006
【図５】
0003117346.tif 000007
【図６】
0003117346.tif 000008
【図７】
0003117346.tif 000009
(57)【要約】【課題】コンセントに装飾を施すと共に該コンセントのブレード差込孔にホコリが付着することを防止するようにしたコンセント取付体を提供する。【解決手段】装飾体１と該装飾体に内設したタップ３とよりなり、該タップはコンセント差込用ブレード５とブレード差込孔７とを備え、該タップのコンセント差込用ブレードは装飾体から外方に突出し、該装飾体はプラグ１７のブレード１９をブレード差込孔に差し込むための透孔２３を備えていることを特徴とするコンセント取付体。【選択図】図１
0003117339.tif 000002
【実用新案登録請求の範囲】
【請求項１】
装飾体と該装飾体に内設したタップとよりなり、
該タップはコンセント差込用ブレードとブレード差込孔とを備え、
該タップのコンセント差込用ブレードは装飾体から外方に突出し、
該装飾体はプラグのブレードをブレード差込孔に差し込むための透孔を備えていることを特徴とするコンセント取付体。
【考案の詳細な説明】
【技術分野】
【０００１】
本考案は、コンセント取付体に関するものであり、更に詳しくは、通常建物の壁面に露出しているコンセントに装飾を施すと共に該コンセントのブレード差込孔（端子差込孔）にホコリが付着することを防止するようにしたコンセント取付体に係るものである。
【背景技術】
【０００２】
コンセントは、例えば特開平０９−３０６５７９号公報に示すように、ブレード差込孔を備えた表面板が壁面に露出している。
【特許文献１】特開平０９−３０６５７９号公報
【考案の開示】
【考案が解決しようとする課題】
【０００３】
しかるに、ブレード差込孔を備えた表面板が壁面に露出しているコンセントは味気ないものであるだけでなく、ブレード差込孔にホコリが付着して漏電等を生ずるおそれもある。
【０００４】
本考案は、従来のコンセントにおけるこのような問題を解決し、コンセントに装飾を施すと共に該コンセントのブレード差込孔にホコリが付着することを防止するようにしたコンセント取付体を提供しようとしてなされたものである。
【課題を解決するための手段】
【０００５】
上記課題を解決するために、本考案は下記のコンセント取付体を提供する。
【０００６】
装飾体と該装飾体に内設したタップとよりなり、
該タップはコンセント差込用ブレードとブレード差込孔とを備え、
該タップのコンセント差込用ブレードは装飾体から外方に突出し、
該装飾体はプラグのブレードをブレード差込孔に差し込むための透孔を備えていることを特徴とするコンセント取付体。
【０００７】
［考案の作用］
本考案のコンセント取付体を使用する際には、装飾体から突出しているタップのコンセント差込用ブレード（コンセント差込用端子）をコンセントのブレード差込孔に差し込む。しかるときは、装飾体はコンセントに取り付けられた状態となるが、タップは装飾体に内設されているため装飾体の外部からは見えない。
【０００８】
コンセントから受電するときには、装飾体の透孔よりプラグのブレード（端子）をタップのブレード差込孔に差し込む。
【考案の効果】
【０００９】
本考案によれば、装飾体から突出しているタップのコンセント差込用ブレードをコンセントのブレード差込孔に差し込むことにより、装飾体はコンセントに取り付けられた状態となる。即ち、コンセントは装飾体により装飾される。また、装飾体の大きさ、形状等により、コンセントは装飾体の陰に隠れた状態となる。即ち、装飾体は、いわば部屋のアクセサリーとなる。
【００１０】
更に、装飾体の大きさ、形状等により、装飾体はコンセントのブレード差込孔を覆い、該ブレード差込孔にホコリが付着することを防止する。
【考案を実施するための最良の形態】
【００１１】
符号１に示すものは装飾体である。
【００１２】
装飾体１としては、例えば、縫いぐるみ、人形、フィギャー、模型、ロボット、玩具等、コンセントを装飾するに適したものであれば如何なるものであってもよい。
【００１３】
装飾体１にはタップ３を内設する。
【００１４】
タップ３は、コンセントから受電して電気機械器具に配電するテーブルタップ等の小型のタップである。
【００１５】
タップ３は、コンセント差込用ブレード５とブレード差込孔７とを備えている。
【００１６】
コンセント差込用ブレード５は、コンセント９のブレード差込孔１１に差し込まれる。
【００１７】
符号１３に示すものは、建物の壁面１５に露出しているコンセント９の表面板である。
【００１８】
タップ３のブレード差込孔７にはプラグ１７のブレード１９が差し込まれる。タップ３には、１個のプラグ１７のみに対応するブレード差込孔７を備えさせてもよいが、複数個のプラグ１７に対応するブレード差込孔７を備えさせても差し支えない。
【００１９】
タップ３のコンセント差込用ブレード５は、装飾体１に備えさせた透孔２１から外方に突出している。
【００２０】
装飾体１はプラグ１７のブレード１９をブレード差込孔７に差し込むための透孔２３を備えている。
【図面の簡単な説明】
【００２１】
【図１】本考案によるコンセント取付体の一例を示す側面図である。
【図２】本考案によるコンセント取付体の別の一例を示す側面図である。
【図３】本考案によるコンセント取付体の更に別の一例を示す正面図である。
【符号の説明】
【００２２】
１  装飾体
３  タップ
５  コンセント差込用ブレード
７  ブレード差込孔
９  コンセント
１１  ブレード差込孔
１３  表面板
１５  壁面
１７  プラグ
１９  ブレード
２１  透孔
２３  透孔
【図１】
0003117339.tif 000003
【図２】
0003117339.tif 000004
【図３】
0003117339.tif 000005
(57)【要約】【課題】ファン駆動用モーターのシャフト構造を提供する。【解決手段】ファン１０は、軸頭１１を介して軸受３２によって回転可能に支持された軸心１２に取り付けられ、円周状に配列された珪素鋼板２２とコイル２４からなる電磁石の作用をうける磁石１５によって、回転駆動される。軸心下方に固定用環状ナット１４を締結すると共に軸心の下方突出端を円弧形状に形成し、軸受けを固定する軸台３１下端にこの軸心の円弧形状に合致する凹形状を形成した底部３１３を設けて該軸心端を回転可能に支持することにより、軸心に支持されるファンを安定した状態で回転可能とする。【選択図】図２
0003117884.tif 000002
【実用新案登録請求の範囲】
【請求項１】
ファン駆動用軸心を、軸受３２に回転可能に支持すると共に該軸受けから突出する軸心下端を円弧形状に形成し、
該軸受を固定する軸台の下方に該軸心下端の円弧形状に合致する円弧形状の凹部を設けて回転可能に支持してなること、
を特徴とする空冷ファン駆動用モーターシャフト構造。
【請求項２】
前記軸心の他端にファン部を接続してなることを特徴とする請求項１に記載のする空冷ファン駆動用モーターシャフト構造。
【請求項３】
前記ファン部に軸頭を設けてなることを特徴とする請求項２に記載のする空冷ファン駆動用モーターシャフト構造。
【請求項４】
前記軸頭は軸心台を形成してなることを特徴とする請求項３に記載のする空冷ファン駆動用モーターシャフト構造。
【請求項５】
軸台はファン台を設けてなることを特徴とする請求項１及び請求項２に記載のする空冷ファン駆動用モーターシャフト構造。
【考案の詳細な説明】
【技術分野】
【０００１】
本考案は、空冷ファン駆動用モーターのシャフト構造に関するものであり、モーターに設ける軸心を軸心が接する軸台の形状に合わせて設計し、並びに軸受を利用し軸心を支えることにより、固定の効能効果を達成する。
【背景技術】
【０００２】
図１の公知のモーターシャフト構造は、ファン台３０の中空軸台３１が軸心１２を収容し、軸心１２外部と軸台３１の間に軸受３２を嵌合して、軸心１２を軸受３２で回転可能に支持し、軸台３１には、凸部３１１とラッチ３１２を設け、軸心１２には環状ナット１４を設けて、前記凸部３１１及びラッチ３１２が軸受３２を押えることにより、軸受３２を固定しており、且つ環状ナットにより、軸心１２が回転時に前記軸受３１から外れるのを防ぐ。しかし、軸心１２は軸受３２に支持されて回転する時に、軸受３２の内部に隙間が形成され軸心１２を揺動させ易く、異音を生じさせる問題がある。
【特許文献１】特開２００４−２６３８２１号公報
【考案の開示】
【考案が解決しようとする課題】
【０００３】
上述の公知技術の問題を解決する為、本考案では、提供するモーターシャフト構造が、軸心をその軸心が接する軸台の形状に合わせて設計し、並びに軸心の軸受を設け、軸心が旋転時に、軸台と軸受の支えにより固定作用を生成し、揺動を防ぐことを目的とする。
【課題を解決するための手段】
【０００４】
上述の目的を達成するため、本考案は、特徴として軸心、軸台、軸受から成り、軸心の一端はファン部と接合し、モーター軸心のもう一端は、円弧形状を形成し、且つ前記軸受は、軸心に被せ、軸心は軸受の力により旋転可能とし、前記軸台には中空のスペースが設けられ、軸心を軸台内に設置可能にし、前記軸台底部には軸心に対応する円弧形状の溝が形成され、軸心を銜えることにより、軸心を溝の円弧形状に合わせて前記軸台上で回転可能にする。
【考案の効果】
【０００５】
上記軸心１２は、軸台３１と軸受３２による支持構造により、安定した状態で支持されて回転することができるため、公知技術において欠点とされた振動、摩擦による異音を減少させ、更にモーターの使用寿命を増延することができる。
【０００６】
以上に説明したように、本考案のモーターシャフトは、安定した運転状態を形成でき、公知技術において揺動が生じ易いという問題を改善している。
【考案を実施するための最良の形態】
【０００７】
本考案の長所、目的、技術的特徴及び功能効果は、以下、図に合わせて実施例を詳細に説明する。
図２に示すように、本考案のモーターシャフト構造は、ファン部１０、モーター部２０、及びファン台３０から成る。ファン部１０は軸頭１１、軸心１２、モーターカバー１３、磁石１５から成り、軸心１２は前述軸頭１１の底部中央に形成される軸心台１１１に固定され、前記モーターカバー１３は、軸頭１１の内縁に設けて磁石１５はモーター１３の内縁に配置さる。
【０００８】
モーター部２０は、前述のファン台３０へ設置され、絶縁体２１、ケイ素鋼板２２、回路版２３、コイル２４から電磁石を構成し、前記ケイ素鋼板２２は、絶縁体２１外部へ設けられ、前記コイル２４と前記ケイ素鋼板２２には絶縁体２１が設けられ、上述のファン台３０の中心には、中空の軸台３１が設けられ、前記回路板２３は絶縁体２１底部と前記軸台３１間に設けられ、軸心１２外部と前記軸台３１の間には軸受３２が設けられ、軸心１２は軸受３２に回転可能に支持され、又、前記軸受３２と軸頭１１間にはオイルリングＲが設けられる。
【０００９】
軸台３１には凸部３１１とラッチ３１２が設けられ、軸心１２の上記ファン部１０の軸頭１１と接続しない他端を円弧状に形成し、並びに環状ナット１４を設け、前記凸部３１１と環状ナット１４により、上記の軸心１２が前記軸台３１から外れるのを防ぐ。軸台３１の底部３１３には軸心１２の上記他端が形成する円弧形状に合わせた形状に溝３１３１が形成され、軸心１２を支えさせることによって軸心１２を溝３１３１の円弧上で軸台３１の底部３１３上で回転させる。
軸台３１の底部３１３は、軸台３１と分離した構造として、上記凸部３１１とラッチ３１２の間に設けられている。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】公知のモーターシャフト構造の実例図である。
【図２】本考案のモーターシャフト構造の実例図である。
【符号の説明】
【００１２】
１０ ファン部
１１ 軸頭
１１１ 軸心台
１２ 軸心
１３ モーターカバー
１４ 環状ナット
１５ 磁石
２０ モーター部
２１ 絶縁体
２２ ケイ素鋼板
２２ ケイ素鋼板
２３ 回路板
２４ コイル
３０ ファン台
３１ 軸台
３１１ 凸部
３１２ ラッチ
３１３ 底部
３１３１ 溝
３２ 軸受
Ｒ オイルリング
【図１】
0003117884.tif 000003
【図２】
0003117884.tif 000004
(57)【要約】      （修正有）【課題】携帯電話に取り付けられるライターは、携帯を落とし燃料漏れをおこしても直接融合していないので故障しない。【解決手段】携帯電話と同様のサイズの薄型ライターに、バネを利用し携帯電話に固定させるスライドフック部１を設け、また、ポケットなどで点火しないようライタースイッチ６に安全装置５を設置した。【選択図】図１
0003117888.tif 000002
【実用新案登録請求の範囲】
【請求項１】
携帯電話と同様のサイズの薄型ライターに、バネを利用し携帯電話に固定させるスライドフック部を設けて、携帯電話にライターを付け外し自由にしたところを特徴とする。
【考案の詳細な説明】
【技術分野】
【０００１】  本考案は、携帯電話本体に取り付けられるライターに関するものである。
【背景技術】
【０００２】  喫煙者が外出する際、携帯電話とライターは別々に持ち外出していた。
【考案の開始】
【考案が解決しようとする課題】
【０００３】  携帯電話とライターが融合し一体化していれば、誤って落とした際にガス燃料漏れによる、電子機器故障の恐れもあるが本考案が破損しても、電子機器内部には直接影響を与えないので、前者の欠点を解決しようとしている。また、外出時にライターを持って行くのを忘れたり紛失防止に効果がある。
【考案を解決するための手段】
【０００４】  本考案は、携帯電話と同様のサイズの薄型ライターに、バネを利用し携帯電話に固定させるスライドフック部を設け、また、ポケットなどで点火しないようライタースイッチに安全装置を設置した。このように携帯電話に固定させることで問題点を解決しとうとするものである。
【考案の効果】
【０００５】  上述の様に、本考案は携帯電話に固定できるライターとして二つのアイテムを一つにし、外出時の持ち忘れや紛失防止に効果があり誤って落としても、ガス燃料漏れによる電子機器の故障がなく、また、スライドフックを引けば簡単に取り外しが可能である。
【考案を実施するための最良の形態】
【０００６】  携帯電話に取り付けられるライターのスライドフック部を伸ばし携帯電話本体に取り付ける、ライタースイッチの安全装置を解除し点火する。
【実施例】
【０００７】  以下、添付図面に従って一実施例を説明する。１は携帯電話に固定させるスライドフック部、２はその携帯電話に挟み込ませるためのスプリング、３はガス燃料タンク。４がライター部分で、５の安全装置を横にずらして解除し６のライタースイッチを下げて点火する。７は携帯電話に取り付けられるライターがしっかり固定されるためのゴムである。
【図面の簡単な説明】
【０００８】
【図１】本考案の携帯電話に取り付けられるライターの実施例を示す正面図である。
【図２】本考案を上から見た一部断面図である。
【符号の説明】
【０００９】１  スライドフック部
２  スプリング
３  ガス燃料タンク
４  ライター部分
５  安全装置
６  ライタースイッチ
７  ゴム
【図１】
0003117888.tif 000003
【図２】
0003117888.tif 000004
(57)【要約】【課題】床、壁、天井、階段などの隅を操作性良く清掃できる粘着ローラーを提供すること。【解決手段】一面が粘着面となっている粘着シートを、その粘着面を外側に向けて三角形の巻芯上に巻回している粘着ロールクリーナーで、使用中にわたり２０〜１００ｍｍの範囲の平面が３面保たれるように前記粘着シートが巻回されており、そのロール幅が１００〜３００ｍｍの粘着ロールクリーナーである。【選択図】図１
0003117887.tif 000002
【実用新案登録請求の範囲】
【請求項１】
一面が粘着面となっている粘着シートを、その粘着面を外側に向けて三角形の巻芯上に巻回している粘着ロールクリーナーで、使用中にわたり２０〜１００ｍｍの範囲の平面が３面保たれるように前記粘着シートが巻回されており、そのロール幅が１００〜３００ｍｍの粘着ロールクリーナー。
【請求項２】
粘着ロールを保持するローラー部と、該ローラー部を支持するアームと、該アームの後部から延長する握り部を備え、幅が１００〜３００ｍｍである清掃具において前記ローラー部に装着される粘着ロールとして用いられる請求項１記載の粘着ロールクリーナー。
【考案の詳細な説明】
【技術分野】
【０００１】ロール式粘着クリーナー
【背景技術】
【０００２】円筒式粘着クリーナー
【考案の開示】
【考案が解決しようとする課題】
【０００３】従来の円筒式クリーナーでは除去できなかった直角或いは鋭角部分の塵を除去することができる。
【課題を解決するための手段】
【０００４】粘着シートを巻きつける芯を三角形にする。
【図面の簡単な説明】
【０００５】
【図１】三角ロールクリーナを表わした図である
【図１】
0003117887.tif 000003
(57)【要約】      （修正有）【課題】花へ鉱物を止着するに際し、接着剤でそれを行うと、その装飾物の取り外しが不可能だったことにおいて、止着体によりその脱着、取り付けが容易にできるようにする。【解決手段】鉱物１に受け止め台２を付け、下部に針状、またはネジ状の芯３をつける。それを花４に差込み入れ通り抜けた芯３を止め金台５、止め金台取っ手６からなる止め金５Ａで止める。この止着体によりその脱着、取り付けが容易にできるようになる。【選択図】図１
0003117890.tif 000002
【実用新案登録請求の範囲】
【請求項１】
装飾したい鉱物１にふせこみ式台、又は爪留め式台２を設けその台の下部に針状もしくは、ねじ状の芯３を付け、そうして形成した装飾物１Ａを花４に差し込み入れ、花４の裏から出た針状もしくは、ねじ状の芯３を止め金５Ａにはめることにより、その脱着、取り付けが自在となり装飾物１Ａと花４をそれぞれ破損することなく別々の使用も可能となることを特徴とする花の装飾物止着体。
【考案の詳細な説明】
【技術分野】
【０００１】  本考案は、花へ装飾物である鉱物を留める止着体に関するものである。
【背景技術】
【０００２】  花に装飾として鉱物をつける場合は、現状単なる接着剤による、接着だった。
【考案の開示】
【考案が解決しようとする課題】
【０００３】  花に、鉱物を止着させる場合、従来は接着剤で直接つけていた。その場合、その接着面の花弁から鉱物をはがし取って、花はインテリアフラワーとして、また鉱物を装飾品として再形成したくても、花弁の破損がおきたり、また鉱物に接着剤が付着し取れなかったりと、再形成は不可能だった。従ってその接着に際する止着体を考案することにより、前述の課題を解決しようとするものである。
【課題を解決するための手段】
【０００４】  本考案は、花、鉱物それぞれの素材を二次的に別々に使用することを可能にするため、鉱物を受ける台を設けその下部に針状、又はねじ状ものをつける。それをそのまま花弁に差し込み入れ、通り抜けた下方を止め金で止める。その場合、花弁から、その装飾物をはずしても双方を破損させることなく済むことにより問題点を解決している。
尚、本考案の花には、生花、造花、ドライフラワー、プリザーブドフラワー、花器、リボンなどを含む。又、本考案の鉱物には、宝石、ビーズなどを含む。
【考案の効果】
【０００５】  上述の様に、本考案の花の装飾物止着体は、そのままそれをフラワーインテリアとして楽しむ事もできることは勿論、それぞれを分離させても従来の接着剤によるような破損が起きないため、花はインテリアとして、また装飾物は装飾品として再形成をし、それぞれに使用することが可能になる。
【考案を実施するための最良の形態】
【０００６】  鉱物１を、ふせこみ式又は爪留め式等の台２に接着剤で接着し、その接着した受け止め台２の下部に直径１〜５ｍｍ、長さ１０ｍｍ〜１５ｍｍほどの針状もしくは、ねじ状の芯３を同じく接着剤で付ける。尚、受け止め台２と芯３は、一体型のもの又は溶接により接着されているものでも良い。そうして、形成した装飾物１Ａを花弁４の適当な位置に差し込む。その際に花弁４に予め小さな穴を開けておいても良い。そして、差し込まれて花弁４を通り抜けた針状もしくは、ねじ状の芯３を止め金台５、止め金の取っ手６からなる止め金５Ａにはめる。尚、止め金５Ａは、一体型のもの又は溶接により接着されているものでも良い。これにより、その脱着、取り付けが容易となり双方を破損することがなくそれぞれの別々の使用も可能となる。
【実施例】
【０００７】以下、添付図面に従って一実施例を説明する。鉱物１を、すでに芯３を溶接してある受け止め台２にはめ込みつける。これにより図１の１Ａができる。【０００８】できあがった１，２，３からなる装飾物１Ａを花弁４に差込み、すでに溶接して一体型になっている５、６からなる止め金５Ａを下方よりはめ込み止める状態が図１である。
よって、装飾物１Ａと止め金５Ａとの間に花弁が挟まれる形となり、それで止着できる。【０００９】本考案の一実施例は上述の如き構成からなるものであるから、装飾物１Ａを花弁４から容易に取り外し、花はインテリアとして、装飾物は装飾品として別々に楽しむこともでき、またいつでもそれが可能である。
【図面の簡単な説明】
【００１０】
【図１】本考案に係る花弁を挟止する時の正面図である。
【図２】花弁裏で芯を止める止め金台の平面図である。
【図３】止め金５Ａの側面図である。
【図４】図２Ａ−Ａの切断図である。
【符号の説明】
【００１１】１Ａ  装飾物
１    鉱物
２    受け止め台
３    芯
４    花弁
５Ａ  止め金
５    花弁裏止め金台
６    止め金台の取っ手
【図１】
0003117890.tif 000003
【図２】
0003117890.tif 000004
【図３】
0003117890.tif 000005
【図４】
0003117890.tif 000006
(57)【要約】      （修正有）【課題】小形電子機器の収納ケースを布で形成し、紐を介してショルダー又はネックにして携行して、収納ケースを使用して携行することに違和感を生じない、電子機器の保護と頻繁な使用の利便性を確保する布製収納ケースの提供。【解決手段】布製収納ケース９を各々の電子機器に適合した大きさと電子機器の重量を勘案した布地で袋状に仕上げ、袋の開口縁辺を跨乗して切片８を縫着することにより縫着部分に強度を持たせハトメ７を切片８に備え、掛止部３と繋止部４が具有する継合具６の該繋止部４に紐５を無端に備え、無端の糸２を備えた環１が掛止部３に掛止し、糸２を電子機器に繋げることで電子機器の落下と置き忘れが解消され、紐５を肩、又は首に掛けることにより身体との繋がりが保たれ、布製収納ケースが単純な筒状の袋になっているため収納ケースからの出し入れが簡単にでき、電子機器の頻繁な利用にも利便性を発揮する。【選択図】図３
0003117885.tif 000002
【実用新案登録請求の範囲】
【請求項１】
方形状布地縁辺を重ねて折り畳み、２辺が縫着１辺が開口の袋に形成、該開口の縁辺を跨乗して切片を該開口に縫着、該切片面にハトメを備え、反発力を利用して開閉自在にした掛止部が繋止部と具有する継合具の繋止部に紐を無端に備え、該継合具の掛止部を前記のハトメに着脱自在に掛止し、環に糸を無端に取り付け前記の掛止部に着脱自在に掛止した布製収納ケース。
【考案の詳細な説明】
【技術分野】
【０００１】  本考案は、携帯電話、デジタルカメラ等の電子機器を被覆保護して、ネック又はショルダー携行する布製収納ケースに関する。
【背景技術】
【０００２】  現在は、携帯電話、デジタルカメラ等をむき出しのままネック又はショルダー携行したり、衣服のポケットに入れたり鞄に収容している。
【考案の開示】
【考案が解決しようとする課題】
【０００３】  携帯電子機器を携行する機会の多い生活環境下において、それぞれの電子機器を収納するケースがあるものの、電子機器の使用頻度が活発でケースからの出し入れが、ネック又はショルダー携行には不向きで、収納ケースそのものの携行にも抵抗があり日常の利便性にそぐわない傾向があり収納ケースとしての利用価値が損なわれている、又、夏季での薄着では衣服等のポケットへの収納も限りがある、そして、身体に繋げずに携行している場合は目まぐるしい社会環境の中での電子機器の置き忘れが頻発している。そこで、柔軟性に富、軽量で身体に抵抗感の少ない布地を収納ケースに用い活発な使用頻度に適した構造に製作することで、ネック又はショルダー携行による電子機器の利便性が増し、ネック又はショルダー携行することで出先への置き忘れとしての失敗が減り、さらに身体との繋がりが無いための高価な電子機器の落下による破損が回避される。現代社会に不可欠な携帯電子機器の小物を気軽に安心して携行できる布製収納ケースを提供しようとするものである。
【課題を解決するための手段】
【０００４】  電子機器を縦長に収納する布地を筒状の袋に形成し、袋の縁辺を跨乗して合成皮革の切片を縫着して該合成皮革面にハトメを備え、掛止部と繋止部を持ち合わせた継合具の繋止部に紐を無端に備え、掛止部をハトメに着脱自在に掛止し、糸を環に無端に備え該環を前記の掛止部に着脱自在に掛止して、継合具の繋止部に備えた紐を身体に掛け携行することにより課題を解決している。
【考案の効果】
【０００５】  本考案は以上に記したように、収納ケース本体を布地で作っているので衣服との相性が良く自然で尚かつ軽量な為、収納ケースそのものの携行にも違和感が解消され、布製収納ケースが継合具に繋いだ紐を介して身体に掛けられ身体の周囲に携行して利用しても、布製収納ケースが筒状のため出し入れが簡単即座に行え、頻繁な電子機器の利用に適し、かつ電子機器を布地で覆っているので異物との接触、或いは衝突等の衝撃にも耐え、カメラレンズ等の損傷等も免れ電子機器の保護に役立っている。
【考案を実施するための最良の形態】
【０００６】  布製収納ケース本体の布地は、薄手のものにあっては二重に更に四重にして筒状に形成し、布地の風合いを保ちつつ収納ケースとしての保護目的を確保しておく必要がある、そして収納する電子機器の形状に適合してケースからの出し入れに快適な大きさに布製収納ケースを製作することが肝要である、更に極薄手の布地にあっては二重四重に形成された極薄手の布地の間に極薄手の風合いを損なわない布地を入れた補強としての製作が考えられる。又厚手の布地では一重での形成が充分に行えるが布製収納ケースの筒状開口の端部を折り返すと極端に端部が厚くなり商品価値として成り立たなくなるので、この端部処理を布地の風合いを活かして製作する必要がある。更に布製収納ケースの開口縁辺に備えたハトメに、糸を繋いだストラップの環を継合具の掛止部で掛止する。
【実施例】
【０００７】  添付図面に従い実施例を説明する。１の環に２の糸を無端で備え３の掛止部に掛止して４の繋止部で５の紐を無端で備え、該４繋止部と３掛止部が具有する６の継合具の３掛止部が、布を筒状の袋にした９布製収納ケースの縁辺に跨乗して縫着した切片８に備えたハトメ７に着脱自在に掛止する。
【図面の簡単な説明】
【０００８】
【図１】環に糸を無端で備えた正面図である。
【図２】継合具の繋止部に紐を無端で備えた正面図である。
【図３】布製収納ケースの正面図である。
【符号の説明】
【０００９】  １  環
２  糸
３  掛止部
４  繋止部
５  紐
６  継合具
７  ハトメ
８  切片
９  布製収納ケース
【図１】
0003117885.tif 000003
【図２】
0003117885.tif 000004
【図３】
0003117885.tif 000005
(57)【要約】      （修正有）【課題】  軟質ゴムとアルミ板を使用し、軽量でコンパクトなイカ釣り用イカ角投入器を提供する。【解決手段】  軟質ゴム▲１▼にＶ字型切込み▲３▼を入れ、アルミ板▲２▼を直角に折り曲げ▲４▼イカ角の針がアルミ板にあたり、軟質ゴムにささらずイカ釣り用イカ角を投入できるようにした事を特徴とする。【選択図】図１
0003117889.tif 000002
【実用新案登録請求の範囲】
【請求項１】
Ｖ字型の切り込みを入れた長方形の軟質ゴム板をＬ字型に曲げたアルミ板の直角部分に接着したイカ釣り用のイカ角投入器。
【考案の詳細な説明】
【技術分野】
【０００１】  この考案は軟質ゴムにＶ字型の切込みを入れ、直角に曲げたアルミ板に軟質ゴムを接着したイカ釣り用イカ角投入器に関するものである。
【背景技術】
【０００２】  従来イカ釣り用イカ角投入器は円筒形の長いものであった。
【考案が解決しょうとする課題】
【０００３】  これは次のような問題点があった。
大型で重く持ち運びに不便であった。
本考案は以上のような問題点をなくすために考案されたものである。
【課題を解決するための手段】
【０００４】  アルミ板▲２▼の一部を直角に曲げ▲４▼、Ｖ字型の切込み▲３▼を入れた軟質ゴム板▲１▼をアルミ板の直角に曲げた部分にＶ字型の切込みを上にして接着固定する。  アルミ板の両側の一部の直角部分は切断し平面▲５▼にする。
【考案の効果】
【０００５】  発明は以上のような構造でこれを使用するときはイカ角の針の部分を海側にして、軟質ゴムのＶ字型の部分に挟み込んで針の部分が直角に立ち上げた▲４▼アルミ板に当たるよう装着し、前方に投入する。  アルミ板の替わりに他の金属板あるいはＡＢＳ樹脂・ポリカーボネイト板等の割れにくく、イカ角の針が刺さりにくいものであれば装着しても良い。
【考案を実施するための最良の形態】
【０００６】  〔イ〕軟質ゴム板にＶ字型の切り込みを入れ（ロ）Ｌ字型のアルミ板の直角に折り曲げた部分に軟質ゴム板のＶ字型の切り込み部分を上にして装着・接着する。
【図面の簡単な説明】
【０００７】
【図１】  本考案の手前側から観た斜視図である。
【図２】  本考案の反対側から見た斜視図である。
【図３】  イカ角を装着した場合の斜視図である。
【符号の説明】
【０００８】〔図〕１・２  ▲１▼軟質ゴム
▲２▼アルミ板
▲３▼Ｖ字型切り込み
▲４▼直角に曲げたアルミ板
▲５▼アルミ板の切断部
〔図〕３  イカ角の装着例である。
▲６▼イカ角の針部分
【図１】
0003117889.tif 000003
【図２】
0003117889.tif 000004
【図３】
0003117889.tif 000005
(57)【要約】      （修正有）【目的】自動車の開閉自在な窓に取り付け可能な網戸を提供すること、更には取り付けた状態での走行や、自動車の窓の開閉も可能な自動車用網戸を提供すること。【構成】自動車の窓枠に略合致する大きさの枠体１０と、この枠体に設けられる網本体２０と、枠体の対向する辺部周縁に設けられる差込片３０．３１より構成した。又は、対向する辺部周縁に設けられる差込片の一方を着脱自在となした。更に枠体を湾曲させた。【選択図】図１
0003117816.tif 000002
【実用新案登録請求の範囲】
【請求項１】
自動車の窓枠に略合致する大きさの枠体と、この枠体に設けられる網本体と、枠体の対向する辺部周縁に設けられる差込片より成る自動車用網戸。
【請求項２】
対向する辺部周縁に設けられる差込片の一方を着脱自在とした請求項１記載の自動車用網戸。
【請求項３】
枠体を湾曲させた請求項１又は２に記載の自動車用網戸。
【考案の詳細な説明】
【技術分野】
【０００１】
本考案は自動車の窓に取り付けられるようになされた自動車用網戸に関する。
【背景技術】
【０００２】
自動車の窓用網戸として自動車の窓の内側に専用枠を取り付け、当該専用枠にネットを嵌め込む商品が市販されている。
【０００３】
又特許文献の代表的なものとして特開２０００−３０１９４２号公報や、特開２００４−１４９１１５号公報がある。
【０００４】
ここに特開２０００−３０１９４２号公報記載の発明は、自動車の窓枠に略合致する枠体に差し込み片と接合手段を設け、窓枠に網戸を取り付けるものである。又特開２００４−１４９１１５号公報記載の発明は、枠部の周縁に取り付けられた略コ字状の係止部を、車窓枠に周設された鍔部に係止することで網戸を取り付けるというものである。
【特許文献１】特開２０００−３０１９４２号公報
【特許文献２】特開２００４−１４９１１５号公報
【考案の開示】
【考案が解決しようとする課題】
【０００５】
昨今のアウトドアライフブームに伴い、キャンプ地に自動車を乗り入れ自動車内ですごすといったことが行われている。この際エンジンを停止せざるを得ず、つまりは車内の冷房装置が使えないことになる。かような状態で車内の温度上昇を防ぐためには自動車の窓を開けざるを得ないが、窓を開けると蚊等の害虫が侵入してしまい非常に不快なものとなってしまう。
【０００６】
又省エネのためアイドリングストップを行うと駐車中冷房装置が使えず、上述と同様の不快な状況が生じてしまう。
【０００７】
そこで本考案は自動車の開閉自在な窓に取り付け可能な網戸を提供すること、更には取り付けた状態での走行や、自動車の窓の開閉も可能な自動車用網戸を提供することを目的とする。
【課題を解決するための手段】
【０００８】
上記課題を解決するために請求項１記載の考案は自動車の窓枠に略合致する大きさの枠体と、この枠体に設けられる網本体と、枠体の対向する辺部周縁に設けられる差込片より構成した。
【０００９】
又請求項２記載の考案は、対向する辺部周縁に設けられる差込片の一方を着脱自在となした。
【００１０】
更に請求項３記載の考案は請求項１又は２記載の考案における枠体を湾曲させた。
【考案の効果】
【００１１】
以下上述のように構成される本考案がいかにして課題を解決する効果を有するかを図面を参照しながら述べる。
【００１２】
図１は本考案の正面図であり、図２は同じく平面図であり、図３は本考案の使用状態を示す説明断面図である。
【００１３】
図1に示すように本考案に係る自動車用網戸は、網本体２０が張られた枠体１０の対向する辺部周縁に差し込み片３０，３１が設けられている。この差込片３０，３１を自動車本体の窓枠４０の凹溝４１の車外側（図３における左側）に嵌め込むことで、自動車用網戸を自動車の窓４２の車外側に取り付けるのである。かようにして請求項１記載の考案によれば、自動車の窓に取り付け可能な網戸を提供することが可能となるのである。
【００１４】
請求項２記載の考案は対向する辺部周縁に設けられる差込片の一方を着脱自在となしてある。図１でいえば差込片３０は枠体１０に固着し，差込片３１は枠体１０に対して着脱自在となしてある（あるいは逆に差込片３１を固着し、差込片３０を着脱自在となしてある）。
【００１５】
かようにすることで着脱自在な側の差込片を取り外した状態で、固着させた側の差込片を窓枠４０の凹溝４１に深く差し込み、そのうえで着脱自在な側の差込片を凹溝４１に深く差し込み、枠体１０に当該着脱自在な差込片を取り付けるという取り付け方法が可能になる。つまりは着脱自在な差込片を取り外さない限り本考案に係る自動車用網戸を窓枠４０から取り外せないことになり、自動車を走行させたとしても網戸が外れる恐れがないのである。
【００１６】
請求項３記載の考案は枠体10を湾曲させてある。図１乃至図３でいえば枠体１０を構成する横枠１２を使用状態において窓４２の反対側、図３でいえば左側に湾曲させてある。かようにすることで枠体１０と窓４２との間に間隙ができ、本考案に係る自動車用網戸を装着した状態でも自動車の窓の開閉を行うことが可能となるのである。
【考案を実施するための最良の形態】
【００１７】
以下好ましい考案の一実施形態につき述べる。
本考案に係る自動車用網戸を構成する枠体１０は縦枠１１，１１及び横枠１２，１２より成り、自動車の窓枠に略合致する形状に形成されている。又車外側に隙間なく取り付けられるようになされている。
【００１８】
図1でいえば枠体１０は方形をなしているが、かかる限定を受けるものではなく、車種毎、取り付ける窓の形状毎に略合致する形状に形成するものである。素材としてはプラスチック材料やアルミニウムなどの軽金属鋼材を使用することが可能である。
枠体１０にはネットたる網本体２０が張られている。網本体２０は難燃性素材で形成されたものが好ましいが、通常の住宅用網戸に使用されているものでも構わない。
【００１９】
枠体１０の対向する辺部、図１でいえば横枠１２，１２には複数の差込片３０・・、３１・・が設けられている。差込片３０，３１は肉薄な板材であり、素材は金属、樹脂等が考えられる。
【００２０】
請求項２記載の考案においては、一方辺部に設けられた差込片は枠体１０に固着されており、対向する辺部に設けられた差込片は着脱自在となしてある。着脱自在となす方法はネジ着による方法、レールを設けて嵌め込み式にする方法、その他枠体１０を自動車の窓枠４０に接合させた状態で凹溝４１に嵌め込み取り付けることが可能であれば任意の方法でよい。
【００２１】
請求項３記載の考案においては枠体１０を湾曲させてある。湾曲させる辺部は図２に示すように自動車の窓４２の開閉方向と直交する辺部である横枠１２だけでもよいし、場合によっては横枠１２のみならず縦枠１１を湾曲させても構わない。湾曲の度合いは自動車の窓を開閉させても窓と枠体１０が接触しない必要最小限でよい。
【図面の簡単な説明】
【００２２】
【図１】本考案の正面図。
【図２】同平面図。
【図３】本考案の使用状態を示す説明断面図。
【符号の説明】
【００２３】
１０・・枠体
２０・・網本体
３０，３１・・差込片
【図１】
0003117816.tif 000003
【図２】
0003117816.tif 000004
【図３】
0003117816.tif 000005
(57)【要約】      （修正有）【課題】従来のクリスマスツリーとは異なる装飾照明器具の提供。【解決手段】１．内部に回転するスライド（Ｂ）等を用いた投影部（Ａ）を備え  ２．回転する動力部、その電源部をそなえる台座部（Ｃ）  ３．被投影部（Ｄ）となるクリスマスツリー形状のスクリーン（シェル）の外観部より成る投影式の装飾照明具である。【選択図】図１
0003117872.tif 000002
【実用新案登録請求の範囲】
【請求項１】
内部に回転する投影装置を備え、その装置で内壁に映像を写し、その映像がその外部より視認できるシェル（外殻）がクリスマスツリー状に形成されている構造体を有する装飾照明器具である。
【考案の詳細な説明】
【技術分野】
【０００１】この考案は、新規の内部投影式のクリスマスツリーである。
【背景技術】
【０００２】従来の物は、ほとんど、ツリー状の構造物に、外側に照明等を含む装飾物を飾り付けて楽しむクリスマスツリーである。
【考案の開示】
【考案が解決しようとする課題】
【０００３】動的な映像を加えて新規のクリスマスツリーを創造した。
【課題を解決するための手段】
【０００４】ツリー状の形状で  １．内部から映像を投影して写るスクリーン（シェル）であり、且つ、その映像がその外部から見ることのできるシェル。
２．内部には回転する投影部を備えたシェル上に投影する装置。
３．全体を支える台で、投影部を回転させるモーター、電源部等。
以上から構成される映像投影式のクリスマスツリーである。
図１．はその形状をあらわしている使用例
図２．は本考案の内部構造等それぞれの構成部をあらわしている
【考案の効果】
【０００５】以下、本考案の実施の形態について説明する。
（イ）クリスマスツリー状の構造物である。
（ロ）内部にスライド等を使用して回転する投影部を備える。
（ハ）電源部および回転動力部を備える台座となる部
（ニ）分解して、すべてコンパクトにまとめ収納することができる。
【考案を実施するための最良の形態】
【０００６】このような形状にすることにより、今までにない新しいクリスマスの装飾照明器具として使用できるし、又、内部の投影部のスライドを交換して好みのものを使用すれば新規の照明器具として楽しめる。
従来の考案品とまったく異なったものである。
【実施例】
【０００７】以下、添付図面に従って実施例を説明する。
クリスマスツリー状の形状で、
（Ａ）スライド等投影用プロジェクター部
（Ｂ）投影用スライド等装填部（モーターで回転）
（Ｃ）回転モーター及び電源部を備える台座部
（Ｄ）被投影部となる（スクリーン（シェル））部
より構成される構造物である。【０００８】（Ａ）のプロジェクター部の（Ｂ）部に投影用のスライド等を入れて電源を入れて投影して使用する。モーターを回せば（Ｂ）部が回転して、（Ｄ）部の内壁に映像が映り、外部からその映像を楽しむものである。
スライド等の入れ替えで色々楽しむことができる。
【図面の簡単な説明】
【０００９】図１．はその形状をあらわしている使用例である。
図２．は本考案の内部構造等、それぞれの構成部をあらわしている。
【符号の説明】
【００１０】符号（Ａ），投影用プロジェクター部をあらわす。
符号（Ｂ），投影用スライド等装填部をあらわす。（モーターで回転）
符号（Ｃ），回転モーター本体及び電源を備えた台座部。
符号（Ｄ），被投影部となる（スクリーン／シェル）部
【図１】
0003117872.tif 000003
【図２】
0003117872.tif 000004